(57)【要約】【課題】虫の走光性を利用して建物の開口部からの虫の侵入を低減できる侵入害虫防除方法、及び侵入害虫防除装置を提供する。【解決手段】誘虫発光部２ａは虫を誘引する誘虫光として紫外線を開口部１２に向かって照射する。その配光は狭角配光であって、ドア１１ａ及びそのごく近傍を照射しており、建物１の周囲に向けては誘虫光を照射しない。そしてドア１１ａ及びその周辺は紫外線吸収材でコーティングされて誘虫光を反射しない防反射処理を施されており、ドア１１ａ及びそのごく近傍に照射された誘虫光は周辺には反射しない。【選択図】        図１
2004275070.tif 000002
【特許請求の範囲】
【請求項１】
誘虫発光部が建物の開口部に開閉自在に取り付けられた開閉部及びその近傍に誘虫光を照射し、前記開閉部及びその近傍を誘虫光の反射率が低い部材で構成することを特徴とする侵入害虫防除方法。
【請求項２】
誘虫発光部が建物の開口部に開閉自在に取り付けられた開閉部及びその近傍に誘虫光を照射し、前記開閉部及びその近傍から誘虫光が反射される方向に誘虫光を遮蔽する遮蔽物を設置したことを特徴とする侵入害虫防除方法。
【請求項３】
前記誘虫発光部近傍にて、前記誘虫発光部に誘引された虫を捕らえることを特徴とする請求項１または２記載の侵入害虫防除方法。
【請求項４】
前記誘虫発光部の照射エリアの外側で、前記誘虫発光部を介して前記開口部に対向する位置にて、前記誘虫発光部、前記開閉部及びその近傍から発する誘虫光を遮蔽する遮蔽物を設置したことを特徴とする請求項１または２記載の侵入害虫防除方法。
【請求項５】
前記誘虫発光部は、誘虫光を点滅照射することを特徴とする請求項１乃至４いずれか記載の侵入害虫防除方法。
【請求項６】
前記誘虫発光部は、波長が３４０ｎｍ〜３８０ｎｍの誘虫光を照射することを特徴とする請求項１乃至５いずれか記載の侵入害虫防除方法。
【請求項７】
建物の開口部に開閉自在に取り付けられた開閉部及びその近傍に誘虫光を照射する誘虫発光部を備え、前記開閉部及びその近傍は誘虫光の反射率が低い部材からなることを特徴とする侵入害虫防除装置。
【請求項８】
建物の開口部に開閉自在に取り付けられた開閉部及びその近傍に誘虫光を照射する誘虫発光部を備え、前記開閉部及びその近傍から誘虫光が反射される方向には誘虫光を遮蔽する遮蔽物が設置されることを特徴とする侵入害虫防除装置。
【請求項９】
前記誘虫発光部に誘引された虫を捕らえる捕虫部を前記誘虫発光部近傍に備えることを特徴とする請求項７または８記載の侵入害虫防除装置。
【請求項１０】
前記誘虫発光部の照射エリアの外側で、前記誘虫発光部を介して前記開口部に対向する位置に配置されて、前記誘虫発光部、前記開閉部及びその近傍から発する誘虫光を遮蔽する遮蔽物を備えることを特徴とする請求項７または８記載の侵入害虫防除装置。
【請求項１１】
前記誘虫発光部は、誘虫光を点滅照射することを特徴とする請求項７乃至１０いずれか記載の侵入害虫防除装置。
【請求項１２】
前記誘虫発光部は、波長が３４０ｎｍ〜３８０ｎｍの誘虫光を照射することを特徴とする請求項７乃至１１いずれか記載の侵入害虫防除装置。
【発明の詳細な説明】
【０００１】
【発明の属する技術分野】
本発明は、侵入害虫防除方法、及び侵入害虫防除装置に関するものである。
【０００２】
【従来の技術】
農業、工業、商業等の各産業分野や一般住居において、建築物や設備（以下、建物と称す）に侵入する昆虫をはじめとする侵入害虫（以下、虫と称す）を防除するために、虫の走光性を利用したものがある。例えば、建物の外壁近傍に電撃殺虫器を設置し、虫を誘引する誘虫光（主に紫外線）を発して建物周辺に存在する虫を誘殺するものや、建物の窓ガラス等の発光面から誘虫光を外部に漏らさないようにフィルム等で誘虫光をカットする処理を施し、窓付近に虫を誘引しないようにしたものがあった。
【０００３】
また、建物の出入口に設けたブース内にエアの吸引手段を設置し、エアの吸引作用によって虫を捕集すると共に、外扉近傍に黄色発光体を設けて虫が出入口に近寄るのを防止したり、ブース内に入った虫に対しては青色発光体によって虫を吸引手段へ誘引する昆虫侵入防止装置もあった。（例えば、特許文献１参照。）
【０００４】
【特許文献１】
特開平８−１７３００８号公報（３頁右欄第２０行〜第４２行、図１、図２）
【０００５】
【発明が解決しようとする課題】
電撃殺虫器を用いた場合は、設置場所によってはかえって周辺から虫を集めてしまう可能性がある。また、窓ガラス等に誘虫光をカットする処理を施し、窓付近に虫を誘引しないようにした場合は、窓を開いた時には効果を全く発揮できず、虫が侵入する可能性が非常に高くなる。
【０００６】
さらに、吸引効果を利用した昆虫侵入防止装置は、虫の走光性を利用するだけでなく、エアの吸引手段が必要で装置が複雑となってしまう。
【０００７】
本発明は、上記事由に鑑みてなされたものであり、その目的は、虫の走光性を利用して建物の開口部からの虫の侵入を低減できる侵入害虫防除方法、及び侵入害虫防除装置を提供することにある。
【０００８】
【課題を解決するための手段】
請求項１の発明は、誘虫発光部が建物の開口部に開閉自在に取り付けられた開閉部及びその近傍に誘虫光を照射し、前記開閉部及びその近傍を誘虫光の反射率が低い部材で構成することを特徴とする。
【０００９】
請求項２の発明は、誘虫発光部が建物の開口部に開閉自在に取り付けられた開閉部及びその近傍に誘虫光を照射し、前記開閉部及びその近傍から誘虫光が反射される方向に誘虫光を遮蔽する遮蔽物を設置したことを特徴とする。
【００１０】
請求項３の発明は、請求項１または２において、前記誘虫発光部近傍にて、前記誘虫発光部に誘引された虫を捕らえることを特徴とする。
【００１１】
請求項４の発明は、請求項１または２において、前記誘虫発光部の照射エリアの外側で、前記誘虫発光部を介して前記開口部に対向する位置にて、前記誘虫発光部、前記開閉部及びその近傍から発する誘虫光を遮蔽する遮蔽物を設置したことを特徴とする。
【００１２】
請求項５の発明は、請求項１乃至４いずれかにおいて、前記誘虫発光部は、誘虫光を点滅照射することを特徴とする。
【００１３】
請求項６の発明は、請求項１乃至５いずれかにおいて、前記誘虫発光部は、波長が３４０ｎｍ〜３８０ｎｍの誘虫光を照射することを特徴とする。
【００１４】
請求項７の発明は、建物の開口部に開閉自在に取り付けられた開閉部及びその近傍に誘虫光を照射する誘虫発光部を備え、前記開閉部及びその近傍は誘虫光の反射率が低い部材からなることを特徴とする。
【００１５】
請求項８の発明は、建物の開口部に開閉自在に取り付けられた開閉部及びその近傍に誘虫光を照射する誘虫発光部を備え、前記開閉部及びその近傍から誘虫光が反射される方向には誘虫光を遮蔽する遮蔽物が設置されることを特徴とする。
【００１６】
請求項９の発明は、請求項７または８において、前記誘虫発光部に誘引された虫を捕らえる捕虫部を前記誘虫発光部近傍に備えることを特徴とする。
【００１７】
請求項１０の発明は、請求項７または８において、前記誘虫発光部の照射エリアの外側で、前記誘虫発光部を介して前記開口部に対向する位置に配置されて、前記誘虫発光部、前記開閉部及びその近傍から発する誘虫光を遮蔽する遮蔽物を備えることを特徴とする。
【００１８】
請求項１１の発明は、請求項７乃至１０いずれかにおいて、前記誘虫発光部は、誘虫光を点滅照射することを特徴とする。
【００１９】
請求項１２の発明は、請求項７乃至１１いずれかにおいて、前記誘虫発光部は、波長が３４０ｎｍ〜３８０ｎｍの誘虫光を照射することを特徴とする。
【００２０】
【発明の実施の形態】
以下、本発明の実施の形態を図面に基づいて説明する。
【００２１】
（実施形態１）
本実施形態の侵入害虫防除装置の構成を図１に示す。店舗、工場、住宅、農業用ビニールハウス等を含む建物１において、人が出入りするために前面に設けた開口部１２には、ドア１１ａ（開閉部）が開閉自在に取り付けられている。開口部１２の正面には２本の電柱３が設置され、各電柱３の上端付近には椀型の反射板を具備する誘虫発光部２ａが開口部１２に向かって各々取り付けられている。図２は上記構成を上方から見た平面図である。
【００２２】
誘虫発光部２ａは虫を誘引する誘虫光として紫外線を開口部１２に向かって照射する。また、その配光は狭角配光であって、ドア１１ａ及びそのごく近傍を照射しており、建物１の周囲に向けては誘虫光を照射しない。そしてドア１１ａ及びその周辺は紫外線吸収材でコーティングされて誘虫光を反射しない防反射処理を施されており、ドア１１ａ及びそのごく近傍に照射された誘虫光は周辺には反射しない。
【００２３】
したがって、誘虫発光部２ａを設置することで周辺から開口部１２に集まってくる虫が増えることはない。さらに、開口部１２近傍に近寄ってきた虫は、誘虫光に誘引されて誘虫発光部２ａに引き寄せられ、開口部１２近傍にいる虫の数は減少する。その結果、ドア１１ａを開けたとき、開口部１２から建物１の内部に侵入する虫の数も減少する。
【００２４】
（実施形態２）
本実施形態の侵入害虫防除装置の構成は図３に示すように、実施形態１の誘虫発光部を変更したもので、実施形態１と同様の構成には同一の符号を付して説明は省略する。本実施形態の誘虫発光部２ｂは、建物１の開口部１２の正面に設置した１本の電柱３の下方に取り付けられ、その構成は図４に示すように、断面が放物線状の長尺形状の放物反射板２２ｂ内に、誘虫光として紫外線を発するブラックライト２１ｂを設置し、照射方向には複数の板状のルーバ２３ｂを設けている。
【００２５】
そして実施形態１と同様に、紫外線吸収材でコーティングされたドア１１ａ及びそのごく近傍に誘虫光を照射することで、誘虫発光部２ｂを設置することで周辺から開口部１２に集まってくる虫が増えることはなく、開口部１２近傍に近寄ってきた虫は、誘虫光に誘引されて誘虫発光部２ａに引き寄せられ、開口部１２近傍にいる虫の数は減少する。その結果、ドア１１ａを開けたとき、開口部１２から建物１の内部に侵入する虫の数も減少する。
【００２６】
（実施形態３）
本実施形態の侵入害虫防除装置の構成は図５に示すように、実施形態１の誘虫発光部を変更したもので、実施形態１と同様の構成には同一の符号を付して説明は省略する。本実施形態の誘虫発光部２ｃは、建物１の開口部１２の正面の地面内に埋め込まれた複数のＵＶ蛍光ランプ２１ｃからなり、複数のＵＶ蛍光ランプ２１ｃは開口部１２の開口面に沿って設置される。図６は、開口部１２近辺の側面を拡大した断面図であり、誘虫発光部２ｃはドア１１ａの下方から誘虫光として紫外線を照射している。
【００２７】
そして実施形態１と同様に、紫外線吸収材でコーティングされたドア１１ａ及びそのごく近傍に誘虫光を照射することで、誘虫発光部２ｃを設置することで周辺から開口部１２に集まってくる虫が増えることはなく、開口部１２近傍に近寄ってきた虫は、誘虫光に誘引されて誘虫発光部２ａに引き寄せられ、開口部１２近傍にいる虫の数は減少する。その結果、ドア１１ａを開けたとき、開口部１２から建物１の内部に侵入する虫の数も減少する。
【００２８】
（実施形態４）
本実施形態の侵入害虫防除装置の構成は図７に示すように、実施形態１の誘虫発光部を変更したもので、実施形態１と同様の構成には同一の符号を付して説明は省略する。本実施形態の誘虫発光部２ｄは、建物１のドア１１ａの屋外側にある開口部１２の側壁１２ａに複数のＬＥＤ２１ｄを上下方向に列設して構成される。あるいは図８に示すように、建物１のドア１１ａの屋外側にある開口部１２の下面１２ｂに複数のＬＥＤ２１ｄを設けてもよい。または複数のＬＥＤ２１ｄを建物１のドア１１ａの屋外側にある開口部１２の天井面１２ｃに設けてもよい。
【００２９】
このＬＥＤ２１ｄは開口部１２の開口面に対して略平行方向に光軸Ｐを有しており、そして実施形態１と同様に、ドア１１ａ及びその周辺は紫外線吸収材でコーティングされており、開口部１２近傍に近寄ってきた虫は、誘虫光に誘引されて誘虫発光部２ｄに引き寄せられる。その結果、ドア１１ａを開けたとき、開口部１２から建物１の内部に侵入する虫の数も減少する。
【００３０】
（実施形態５）
本実施形態の侵入害虫防除装置の構成を図９に示す。なお、実施形態１と同様の構成には同一の符号を付して説明は省略する。本実施形態の建物１において、人が出入りするために前面に設けた開口部１２には、ドア１１ｂ（開閉部）が開閉自在に取り付けられている。開口部１２の正面には１本の電柱３が、開口部１２の中心から一方側に偏倚して設置され、電柱３の上端付近には椀型の反射板を具備する誘虫発光部２ａが開口部１２に向かって取り付けられている。さらに開口部１２の正面には板状の遮蔽板４ａが、開口部１２の中心から他方側に偏倚して設置されている。図１０は上記構成を上方から見た平面図である。
【００３１】
誘虫発光部２ａは虫を誘引する誘虫光として紫外線を開口部１２に向かって照射する。また、その配光は狭角配光であって、ドア１１ｂ及びそのごく近傍を照射しており、建物１の周囲に向けては誘虫光を照射しない。ここでドア１１ｂ及びその周辺は実施形態１と異なり、防反射処理を施されておらず、ドア１１ｂ及びそのごく近傍に照射された誘虫光の殆どは遮蔽板４ａの方向に反射した後、遮蔽板４ａによって遮られる。
【００３２】
したがって、誘虫発光部２ａを設置することで周辺から開口部１２に集まってくる虫が増えることはない。さらに、開口部１２近傍に近寄ってきた虫は、誘虫光に誘引されて誘虫発光部２ａに引き寄せられ、開口部１２近傍にいる虫の数は減少する。その結果、ドア１１ｂを開けたとき、開口部１２から建物１の内部に侵入する虫の数も減少する。
【００３３】
また、遮蔽板４ａの代わりに図１１に示すように植栽４ｂを設置しても同様の効果を得ることができる。
【００３４】
（実施形態６）
本実施形態の侵入害虫防除装置の構成は実施形態５と略同様であるが、図１２に示すように、誘虫発光部として実施形態２の図４に示した誘虫発光部２ｂを用い、さらに遮蔽板４ａを３枚設置しており、ドア１１ｂ及びそのごく近傍で反射した誘虫光をより確実に遮蔽している。したがって、誘虫発光部２ｂを設置することで周辺から開口部１２に集まってくる虫をさらに低減させることができる。
【００３５】
（実施形態７）
本実施形態の侵入害虫防除装置の構成は図１３に示すように、実施形態１の図１の誘虫発光部２ａの下方に、誘虫発光部２ａに誘引された虫を捕らえる捕殺トラップ（捕虫部）５を設置したもので、実施形態１と同様の構成には同一の符号を付して説明は省略する。
【００３６】
開口部１２近傍に近寄ってきた虫は、誘虫光に誘引されて誘虫発光部２ａに引き寄せられ、捕殺トラップ５にて捕獲、もしくは殺虫される。捕殺された虫は再び建物１に戻ることがないため、開口部１２から建物１の内部に侵入する虫の数はさらに減少する。
【００３７】
また図１４に示すように、捕殺トラップ５として電撃殺虫器を用い、電撃殺虫器と誘虫発光部とを兼用した誘虫発光兼殺虫器６を用いれば、設置スペースを小さくすることができる。
【００３８】
（実施形態８）
本実施形態の侵入害虫防除装置の構成は図１５に示すように、実施形態５の図９の誘虫発光部２ａの下方に、誘虫発光部２ａに誘引された虫を捕らえる捕殺トラップ（捕虫部）５を設置したもので、実施形態５と同様の構成には同一の符号を付して説明は省略する。
【００３９】
開口部１２近傍に近寄ってきた虫は、誘虫光に誘引されて誘虫発光部２ａに引き寄せられ、捕殺トラップ５にて捕獲、もしくは殺虫される。捕殺された虫は再び建物１に戻ることがないため、開口部１２から建物１の内部に侵入する虫の数はさらに減少する。
【００４０】
（実施形態９）
本実施形態の侵入害虫防除装置の構成を図１６に示す。なお、実施形態１と同様の構成には同一の符号を付して説明は省略する。本実施形態の建物１の開口部１２に対向する正面には板状の遮蔽板４ｃが設置され、遮蔽板４ｃの上端の両側には誘虫発光部２ａが開口部１２に向かって、遮蔽板４ｃと開口部１２との間に位置するように各々取り付けられている。図１７は上記構成を上方から見た平面図である。
【００４１】
遮蔽板４ｃは、建物１の周辺から開口部１２や誘虫発光部２ａを見え難くしている。したがって、開口部１２や誘虫発光部２ａから発せられる光も建物１の周辺からは見え難く、建物１の周辺から開口部１２や誘虫発光部２ａに誘引される虫の数は減少し、ドア１１ａを開けたとき、開口部１２から建物１の内部に侵入する虫の数も減少する。
【００４２】
（実施形態１０）
本実施形態の侵入害虫防除装置の構成を図１８に示す。なお、実施形態５と同様の構成には同一の符号を付して説明は省略する。本実施形態の建物１の開口部１２の正面には１本の電柱３が、開口部１２の中心から一方側に偏倚して設置され、電柱３の下方には実施形態２の図４に示した誘虫発光部２ｂが開口部１２に向かって取り付けられている。さらに開口部１２の正面には植栽４ｄが設けられており、電柱３は植栽４ｄと開口部１２との間に位置している。
【００４３】
ここでドア１１ｂ及びその周辺は防反射処理を施されておらず、ドア１１ｂ及びそのごく近傍に照射された誘虫光の殆どは植栽４ｄの方向に反射した後、植栽４ｄによって遮られる。
【００４４】
さらに植栽４ｄは、建物１の周辺から開口部１２や誘虫発光部２ｂを見え難くしている。したがって、開口部１２や誘虫発光部２ｂから発せられる光も建物１の周辺からは見え難く、建物１の周辺から開口部１２や誘虫発光部２ｂに誘引される虫の数は減少し、ドア１１ｂを開けたとき、開口部１２から建物１の内部に侵入する虫の数も減少する。
【００４５】
（実施形態１１）
本実施形態の侵入害虫防除装置の構成は図１９に示すように、実施形態１の誘虫発光部を変更したもので、実施形態１と同様の構成には同一の符号を付して説明は省略する。本実施形態の誘虫発光部２ｅは、建物１の開口部１２の正面の地面内に埋め込まれた複数のＬＥＤ２１ｅからなり、複数のＬＥＤ２１ｅは開口部１２の開口面に沿って設置される。図２０は、開口部１２近辺の側面を拡大した断面図であり、誘虫発光部２ｅはドア１１ａの下方から誘虫光として紫外線を照射している。
【００４６】
ここで本実施形態では、誘虫発光部２ｅを１０Ｈｚで点滅点灯させており、誘虫発光部２ｅを目立たせて、より効率よく虫を引き寄せている。また、点灯時間が短くなるため消費電力を低減することができる。
【００４７】
なお、実施形態１乃至１０においても誘虫発光部を点滅点灯させれば同様の効果を得ることができる。
【００４８】
（実施形態１２）
本実施形態の侵入害虫防除装置の構成は図２１に示すように、実施形態２の誘虫発光部を変更したもので、実施形態２と同様の構成には同一の符号を付して説明は省略する。本実施形態の誘虫発光部２ｆは図２２に示すように、断面が放物線状の長尺形状の放物反射板２２ｆ内に、誘虫光を発する捕虫器用蛍光ランプ２１ｆを設置し、照射方向には複数の板状のルーバ２３ｆを設けている。
【００４９】
捕虫器用蛍光ランプ２１ｆの分光特性は図２３に示されるように、波長３４０ｎｍ〜３８０ｎｍの紫外線を多く含んでいる。特に昆虫は図２４の走光性曲線に示すように、この波長範囲の紫外線に強く誘引される性質が知られており、効率よく虫を引き寄せることができる。また、紫外線は人の目には見えないため、虫が誘虫発光部２ｆに集まっているのが周辺からは分かり難く、美観を損ねることがない。
【００５０】
実施形態１乃至１１においても波長３４０ｎｍ〜３８０ｎｍの紫外線を誘虫光として用いれば、同様の効果を得ることができる。
【００５１】
【発明の効果】
請求項１の発明は、誘虫発光部が建物の開口部に開閉自在に取り付けられた開閉部及びその近傍に誘虫光を照射し、前記開閉部及びその近傍を誘虫光の反射率が低い部材で構成するので、誘虫発光部を設置することで周辺から開口部に集まってくる虫が増えることはなく、開口部近傍に近寄ってきた虫は誘虫光に誘引されて誘虫発光部に引き寄せられ、開口部近傍にいる虫の数は減少する。その結果、開閉部を開けたとき、開口部から建物の内部に侵入する虫の数も減少するという効果がある。さらに従来例のようにエアの吸引手段は必要ない。
【００５２】
請求項２の発明は、誘虫発光部が建物の開口部に開閉自在に取り付けられた開閉部及びその近傍に誘虫光を照射し、前記開閉部及びその近傍から誘虫光が反射される方向に誘虫光を遮蔽する遮蔽物を設置したので、誘虫発光部を設置することで周辺から開口部に集まってくる虫が増えることはなく、開口部近傍に近寄ってきた虫は誘虫光に誘引されて誘虫発光部に引き寄せられ、開口部近傍にいる虫の数は減少する。その結果、開閉部を開けたとき、開口部から建物の内部に侵入する虫の数も減少するという効果がある。さらに従来例のようにエアの吸引手段は必要ない。
【００５３】
請求項３の発明は、請求項１または２において、前記誘虫発光部近傍にて、前記誘虫発光部に誘引された虫を捕らえるので、開口部から建物の内部に侵入する虫の数をさらに減少させることができるという効果がある。
【００５４】
請求項４の発明は、請求項１または２において、前記誘虫発光部の照射エリアの外側で、前記誘虫発光部を介して前記開口部に対向する位置にて、前記誘虫発光部、前記開閉部及びその近傍から発する誘虫光を遮蔽する遮蔽物を設置したので、開口部や誘虫発光部から発せられる光が建物の周辺からは見え難くなり、建物の周辺から開口部や誘虫発光部に誘引される虫が減少し、開口部から建物の内部に侵入する虫の数をさらに減少させることができるという効果がある。
【００５５】
請求項５の発明は、請求項１乃至４いずれかにおいて、前記誘虫発光部は、誘虫光を点滅照射するので、誘虫発光部を目立たせて、より効率よく虫を引き寄せることができ、また点灯時間が短くなるため消費電力を低減することができるという効果がある。
【００５６】
請求項６の発明は、請求項１乃至５いずれかにおいて、前記誘虫発光部は、波長が３４０ｎｍ〜３８０ｎｍの誘虫光を照射するので、効率よく虫を引き寄せることができ、また虫が誘虫発光部に集まっているのが周辺からは分かり難く、美観を損ねることがないという効果がある。
【００５７】
請求項７の発明は、建物の開口部に開閉自在に取り付けられた開閉部及びその近傍に誘虫光を照射する誘虫発光部を備え、前記開閉部及びその近傍は誘虫光の反射率が低い部材からなるので、誘虫発光部を設置することで周辺から開口部に集まってくる虫が増えることはなく、開口部近傍に近寄ってきた虫は誘虫光に誘引されて誘虫発光部に引き寄せられ、開口部近傍にいる虫の数は減少する。その結果、開閉部を開けたとき、開口部から建物の内部に侵入する虫の数も減少するという効果がある。さらに従来例のようにエアの吸引手段は必要ない。
【００５８】
請求項８の発明は、建物の開口部に開閉自在に取り付けられた開閉部及びその近傍に誘虫光を照射する誘虫発光部を備え、前記開閉部及びその近傍から誘虫光が反射される方向には誘虫光を遮蔽する遮蔽物が設置されるので、誘虫発光部を設置することで周辺から開口部に集まってくる虫が増えることはなく、開口部近傍に近寄ってきた虫は誘虫光に誘引されて誘虫発光部に引き寄せられ、開口部近傍にいる虫の数は減少する。その結果、開閉部を開けたとき、開口部から建物の内部に侵入する虫の数も減少するという効果がある。さらに従来例のようにエアの吸引手段は必要ない。
【００５９】
請求項９の発明は、請求項７または８において、前記誘虫発光部に誘引された虫を捕らえる捕虫部を前記誘虫発光部近傍に備えるので、開口部から建物の内部に侵入する虫の数をさらに減少させることができるという効果がある。
【００６０】
請求項１０の発明は、請求項７または８において、前記誘虫発光部の照射エリアの外側で、前記誘虫発光部を介して前記開口部に対向する位置に配置されて、前記誘虫発光部、前記開閉部及びその近傍から発する誘虫光を遮蔽する遮蔽物を備えるので、開口部や誘虫発光部から発せられる光が建物の周辺からは見え難くなり、建物の周辺から開口部や誘虫発光部に誘引される虫が減少し、開口部から建物の内部に侵入する虫の数をさらに減少させることができるという効果がある。
【００６１】
請求項１１の発明は、請求項７乃至１０いずれかにおいて、前記誘虫発光部は、誘虫光を点滅照射するので、誘虫発光部を目立たせて、より効率よく虫を引き寄せることができ、また点灯時間が短くなるため消費電力を低減することができるという効果がある。
【００６２】
請求項１２の発明は、請求項７乃至１１いずれかにおいて、前記誘虫発光部は、波長が３４０ｎｍ〜３８０ｎｍの誘虫光を照射するので、効率よく虫を引き寄せることができ、また虫が誘虫発光部に集まっているのが周辺からは分かり難く、美観を損ねることがないという効果がある。
【図面の簡単な説明】
【図１】本発明の実施形態１の構成を示す図である。
【図２】同上の上方から見た平面図である。
【図３】本発明の実施形態２の構成を示す図である。
【図４】同上の誘虫発光部の構成を示す図である。
【図５】本発明の実施形態３の構成を示す図である。
【図６】同上の誘虫発光部周辺の構成を示す側面断面図である。
【図７】本発明の実施形態４の第１の構成を示す図である。
【図８】同上の第２の構成を示す側面断面図である。
【図９】本発明の実施形態５の第１の構成を示す図である。
【図１０】同上の上方から見た平面図である。
【図１１】同上の第２の構成を示す図である。
【図１２】本発明の実施形態６の構成を示す図である。
【図１３】本発明の実施形態７の第１の構成を示す図である。
【図１４】同上の第２の構成を示す図である。
【図１５】本発明の実施形態８の構成を示す図である。
【図１６】本発明の実施形態９の構成を示す図である。
【図１７】同上の上方から見た平面図である。
【図１８】本発明の実施形態１０の構成を示す図である。
【図１９】本発明の実施形態１１の構成を示す図である。
【図２０】同上の誘虫発光部周辺の構成を示す側面断面図である。
【図２１】本発明の実施形態１２の構成を示す図である。
【図２２】同上の誘虫発光部の構成を示す図である。
【図２３】同上の捕虫用蛍光ランプの分光特性を示す図である。
【図２４】同上の昆虫の走光性曲線を示す図である。
【符号の説明】
１      建物
２ａ    誘虫発光部
３      電柱
１１ａ  ドア
１２    開口部
【図１】
2004275070.tif 000003
【図２】
2004275070.tif 000004
【図３】
2004275070.tif 000005
【図４】
2004275070.tif 000006
【図５】
2004275070.tif 000007
【図６】
2004275070.tif 000008
【図７】
2004275070.tif 000009
【図８】
2004275070.tif 000010
【図９】
2004275070.tif 000011
【図１０】
2004275070.tif 000012
【図１１】
2004275070.tif 000013
【図１２】
2004275070.tif 000014
【図１３】
2004275070.tif 000015
【図１４】
2004275070.tif 000016
【図１５】
2004275070.tif 000017
【図１６】
2004275070.tif 000018
【図１７】
2004275070.tif 000019
【図１８】
2004275070.tif 000020
【図１９】
2004275070.tif 000021
【図２０】
2004275070.tif 000022
【図２１】
2004275070.tif 000023
【図２２】
2004275070.tif 000024
【図２３】
2004275070.tif 000025
【図２４】
2004275070.tif 000026